(57)【特許請求の範囲】
【請求項１】
野地板上に凹凸屋根材が設けられて成る屋根構造であって、
前記凹凸屋根材は、
下方に開口し且つ上方に突出する凸部と、上方に開口し且つ下方に凹む凹部とを、軒に沿って交互に有するものであり、
前記凹凸屋根材が有する複数の前記凹部のうち、一部の凹部の底壁は、軒に沿う方向の両端に位置する他の凹部の底壁よりも高い位置に形成され、
この一部の凹部の底壁と前記野地板との間に、所定の充填スペースが形成され、
前記充填スペース内に補強材が充填されることを特徴とする屋根構造。
【請求項２】
前記充填スペースとこれの上方に位置する前記凸部との間に、前記補強材の前記凸部内への侵入を防ぐ区画材が配されることを特徴とする請求項１に記載の屋根構造。
【発明の詳細な説明】
【技術分野】
【０００１】
本発明は、凹凸屋根材を用いた屋根構造に関する。
【背景技術】
【０００２】
特許文献１には、建造物の野地板上に、スレート等の屋根材を設けた屋根構造が記載されている。
【先行技術文献】
【特許文献】
【０００３】
【特許文献１】特開２００２−１６７９２７号公報
【発明の概要】
【発明が解決しようとする課題】
【０００４】
特許文献１に記載の屋根構造では、野地板と屋根材との間の通気性が良くないという問題がある。これに対して、凸部と凹部とを軒に沿って交互に有する凹凸屋根材を用い、この凹凸屋根材を野地板上に設置することで、通気性を高めることができる。
【０００５】
この凹凸屋根材を野地板に設置する場合、その固定手段として、凹凸屋根材が有する凹部の底壁を野地板に対してネジ、釘等で固定するという手段が考えられる。しかし、この手段によれば、水仕舞い等の面で問題が生じる。
【０００６】
他の固定手段としては、図４に示すように、凹凸屋根材１００の軒に沿う方向の両端部１０２を、野地板１０４上のレール１０６に固定する手段が考えられる。この手段によれば、凹凸屋根材１００を水仕舞いよく野地板１０４に固定することができる。しかし、凸部と凹部を交互に有する凹凸屋根材１００は、撓みを生じやすい構造である。そのため、野地板１０４上のレール１０６に両端部１０２を固定された凹凸屋根材１００が、両端のレール１０６間で撓みを生じやすくなるという問題がある。
【０００７】
本発明は前記問題点に鑑みて発明したものであって、野地板上に凹凸屋根材を設置する屋根構造において、この凹凸屋根材を野地板上に水仕舞いよく固定することができ、しかも、固定後の凹凸屋根材に撓みが生じることも抑えることのできる屋根構造を提案することを、課題とする。
【課題を解決するための手段】
【０００８】
前記課題を解決するために、本発明を、下記構成を具備した屋根構造とする。
【０００９】
つまり、本発明は、野地板上に凹凸屋根材が設けられて成る屋根構造であって、前記凹凸屋根材は、下方に開口し且つ上方に突出する凸部と、上方に開口し且つ下方に凹む凹部とを、軒に沿って交互に有するものであり、前記凹凸屋根材が有する複数の前記凹部のうち、一部の凹部の底壁は、軒に沿う方向の両端に位置する他の凹部の底壁よりも高い位置に形成され、この一部の凹部の底壁と前記野地板との間に、所定の充填スペースが形成され、前記充填スペース内に補強材が充填されることを特徴とする。
【００１１】
更に本発明では、前記充填スペースとこれの上方に位置する前記凸部との間に、前記補強材の前記凸部内への侵入を防ぐ区画材が配されることも好ましい。
【発明の効果】
【００１２】
本発明は、凹凸屋根材の両端部を野地板上に水仕舞いよく固定し、且つ、固定後の凹凸屋根材に撓みが生じることも抑えることができるという効果を奏する。
【図面の簡単な説明】
【００１３】
【図１】本発明の第１実施形態の屋根構造の破断斜視図である。
【図２】同上の屋根構造に用いる凹凸屋根材の斜視図である。
【図３】本発明の第２実施形態の屋根構造に用いる凹凸屋根材の斜視図である。
【図４】比較例の屋根構造の断面図である。
【発明を実施するための形態】
【００１４】
本発明を、添付図面に示す実施形態に基づいて説明する。図１には、本発明の第１実施形態の屋根構造を示している。図２には、本実施形態の屋根構造で用いる凹凸屋根材を示している。本文中では、軒に沿う方向を軒方向Ａとし、傾斜した屋根面に沿って軒と棟を結ぶ方向を軒棟方向Ｂとする。
【００１５】
屋根下地をなす野地板２は、垂木等の建築躯体上に設置されるものであり、棟側から軒側に向かって下り傾斜している。野地板２上には、鋼板製の凹凸屋根材４が軒方向Ａに複数並べて載置されている。
【００１６】
凹凸屋根材４は、下方に開口し且つ上方に突出する凸部６と、上方に開口し且つ下方に凹む凹部８とを、軒方向Ａに交互に形成したものである。各凸部６の側壁は、隣接する凹部８の側壁を兼ねている。各凸部６が有する上壁１０は、両側壁に対して略直角である。また、各凹部８が有する底壁１２は、両側壁に対して略直角である。
【００１７】
各凹凸屋根材４の軒方向Ａの両端部には、両端の凹部８と隣接して固定部１４が形成されている。固定部１４は、立ち上がり片１６と、これの上端から外側方に延設される延長片１８とから成り、凸部６を軒方向Ａにおいて半分に分割したような形状を有している。各固定部１４の立ち上がり片１６は、隣接する凹部８の側壁を兼ねている。
【００１８】
各凹凸屋根材４が有する複数の凸部６の上壁１０と、両端の固定部１４の延長片１８とは、同一高さに形成されている。一方、各凹凸屋根材４が有する複数の凹部８の底壁１２は、二種類の高さで設定している。
【００１９】
つまり、図２に示すように、凸部６を挟んで軒方向Ａに並設される３以上（本実施形態では４つ）の凹部８のうち、両端の凹部８を除く他の凹部８の底壁１２を、両端の凹部８の底壁１２よりも一段高く設定している。以下においては、区別のため、両端の凹部８を「第一凹部８ａ」としてこれの底壁に符号１２ａを付し、これ以外の凹部８を「第二凹部８ｂ」としてこれの底壁に符号１２ｂを付す。
【００２０】
軒方向Ａに隣接する２つの第二凹部８ｂの底壁１２ｂの高さは、これらを挟む位置にある両側の第一凹部８ａの底壁１２ａの高さよりも、所定寸法ｈだけ高く設定している。隣接する２つの第二凹部８ｂの底壁１２ｂ同士は、同一平面上に形成している。また、両端の第一凹部８ａの底壁１２ａ同士も、同一平面上に形成している。
【００２１】
図１に示すように、この凹凸屋根材４は、野地板２上において軒方向Ａに距離をあけて配置されるレール５０間に、それぞれ配置される。このとき、凹凸屋根材４の両端の固定部１４がそれぞれレール５０に係止され、図示略の連結具によって各固定部１４がレール５０に固定される。各凹凸屋根材４の両端の第一凹部８ａは、その底壁１２ａが野地板２上に当接する。一方、各凹凸屋根材４が有する第二凹部８ｂは、その底壁１２ｂが野地板２から所定寸法ｈだけ離れて保持される。この第二凹部８ｂと野地板２との間に形成されるスペースが、補強材２０を充填させるための充填スペースＳとなる。
【００２２】
補強材２０は、所定寸法ｈと同一又は略同一の厚みを有する板材であり、具体的にはウレタンフォームを用いる。この板状の補強材２０は、第二凹部８ｂの底壁１２ｂに接着固定されることで、第二凹部８ｂと野地板２との間の充填スペースＳに充填される。補強材２０が充填スペースＳに充填された状態において、この補強材２０の軒方向Ａの側端面が、両端の第一凹部８ａの下端部に対して内側方から当接する。補強材２０の上面２２とこれの上方に位置する凸部６との間には、軒棟方向Ｂに一直線状に連続するように空間が形成され、この空間が通気空間となる。
【００２３】
補強材２０が各凹凸屋根材４の下方に充填されることにより、凹凸屋根材４の撓みの発生が抑制され、施工時等に凹凸屋根材４を踏みつけてしまった場合であっても変形を生じることが抑えられる。加えて、凹凸屋根材４の熱が屋根裏側に伝わることや、凹凸屋根材４に雨が当たったときの雨音が響くことも、この補強材２０が介在することにより抑えられる。
【００２４】
なお、図示はしていないが、凹凸屋根材４が有する複数の凸部６の上壁１０に、太陽光発電パネル等の機能パネルを設置することも好適である。太陽光発電パネルを設置したときには、この太陽光発電パネルと下方に位置する凹凸屋根材４の間に、太陽光発電パネルと凹部８で囲まれる空間が形成され、この空間が第二の通気空間ともなる。太陽光発電パネルは、高温になると発電効率（変換効率）が低下するおそれがある。これに対して、前記の各通気空間が太陽光発電パネルの下方に位置し、温度上昇を抑制することで、効率低下が抑えられる。
【００２５】
次に、図３に基づいて、本発明の第２実施形態の屋根構造について説明する。図３には、本実施形態の屋根構造に用いる凹凸屋根材４を示している。この凹凸屋根材４では、充填スペースＳとなる部分と、この部分の上方に位置する凸部６との境界部分に、薄膜状の区画材３０を貼着させている。区画材３０は、その上面３２が第二凹部８ｂの底壁１２ｂに密着し、且つ、その軒方向Ａの側端縁が、両端の第一凹部８ａの下端部に対して内方から密着することで、凸部６内の空間と充填スペースＳとを区切るものである。本実施形態では、この区画材３０を凹凸屋根材４に貼着したうえで、区画された充填スペースＳに発泡ウレタンを充填させることにより、所定の強度を有し且つ軽量の補強材２０が成形される。
【００２６】
以上、図面に基づいて説明した説明したように、本発明の第１及び第２実施形態の屋根構造は、野地板２上に凹凸屋根材４が設けられて成る屋根構造である。凹凸屋根材４は、下方に開口し且つ上方に突出する凸部６と、上方に開口し且つ下方に凹む凹部８とを、軒方向Ａに沿って交互に有するものである。凹凸屋根材４が有する凹部８と野地板２との間には、所定の充填スペースＳが形成され、この充填スペースＳ内に補強材２０が充填されている。
【００２７】
したがって、第１及び第２実施形態の屋根構造によれば、凹凸屋根材４の両端部を野地板２上に水仕舞いよく固定しながらも、固定後の凹凸屋根材４に撓み等の変形が生じることが抑えられる。更に、この補強材２０が凹凸屋根材４と野地板２の間に充填されることによって、凹凸屋根材４の熱が屋根裏側に伝わることや、凹凸屋根材４に雨が当たったときの雨音が響くことも、効果的に抑えられる。つまり、この補強材２０が断熱材や消音材としても機能する。
【００２８】
また、第１及び第２実施形態の屋根構造では、凹凸屋根材４が有する複数の凹部８のうち、一部の凹部８ｂの底壁１２ｂは、軒方向Ａの両端に位置する他の凹部８ａの底壁１２ａよりも高い位置に形成されている。この一部の凹部８ｂの底壁１２ｂと野地板２との間に、充填スペースＳが形成される。これにより、凹凸屋根材４と野地板２との間に補強材２０を介在させる構造であるにも関わらず、凹凸屋根材４の全体の高さは抑えられる。また、補強材２０を一部の凹部８ｂの底壁１２ｂに当て、補強材２０の側端部を他の凹部８ａに当てて配置することにより、凹凸屋根材４全体の剛性を効果的に高めることができる。
【００２９】
また、第２実施形態の屋根構造では、充填スペースＳとこれの上方に位置する凸部６との間には、補強材２０の凸部６内への侵入を防ぐ区画材３０が配されている。これにより、この区画材３０を配したうえで発泡ウレタン等を充填させることで、充填スペースＳに補強材２０を成形することが可能となる。
【００３０】
以上、本発明を添付図面に示す実施形態に基づいて説明したが、本発明は前記実施形態に限定されるものではなく、本発明の意図する範囲内であれば、適宜の設計変更を行うことが可能である。
【符号の説明】
【００３１】
２  野地板
４  凹凸屋根材
６  凸部
８  凹部
８ａ  第一凹部
８ｂ  第二凹部
１２  底壁
１２ａ  底壁
１２ｂ  底壁
２０  補強材
３０  区画材
Ａ  軒方向
Ｓ  充填スペース
【図１】
0005934944.tif 000002
【図２】
0005934944.tif 000003
【図３】
0005934944.tif 000004
【図４】
0005934944.tif 000005